(57)【要約】【課題】簡単な構成で確実に遮蔽することができる防犯用遮蔽装置を提供する。【解決手段】金網で構成された遮蔽部材３と、前記遮蔽部材３をロール状に巻き取る巻取り部材４とを備え、前記巻取り部材４は枠体２の上端2aに設けられ、前記遮蔽部材３を一端から落下させて展開する展開手段14を有する。前記巻取り部材４は前記遮蔽部材３を巻いた状態でラチェット機構８により係止されている。前記巻取り部材４の回転速度を抑制するドラムブレーキ13を備えた。前記枠体２の最下点たる最下枠2bに到達した前記遮蔽部材３に電圧を印加する電圧印加手段19を備えた。【選択図】図１
2007113173.tif 000002
【特許請求の範囲】
【請求項１】
金網で構成された遮蔽部材と、前記遮蔽部材をロール状に巻き取る巻取り部材とを備えた防犯用遮蔽装置であって、前記巻取り部材は枠体の上端に設けられ、前記遮蔽部材を一端から落下させて展開する展開手段を有することを特徴とする防犯用遮蔽装置。
【請求項２】
前記巻取り部材は前記遮蔽部材を巻いた状態で係止手段により係止されており、前記展開手段は、前記係止手段を解除する解除装置と、前記遮蔽部材の一端に設けた錘とからなることを特徴とする請求項１記載の防犯用遮蔽装置。
【請求項３】
前記巻取り部材の回転速度を抑制する制動部材を備えたことを特徴とする請求項１又は２記載の防犯用遮蔽装置。
【請求項４】
前記一端が前記枠体の最下点に到達した前記遮蔽部材を固定するロック機構を備えたことを特徴とする請求項１〜３いずれか１項記載の防犯用遮蔽装置。
【請求項５】
前記枠体の最下点に到達した前記遮蔽部材に電圧を印加する電圧印加手段を備えたことを特徴とする請求項１〜４いずれか１項記載の防犯用遮蔽装置。
【請求項６】
金網で構成された遮蔽部材と、前記遮蔽部材をロール状に巻き取る巻取り部材とを備えた防犯用遮蔽装置であって、前記巻取り部材は前記遮蔽部材の中央に設けられ、前記遮蔽部材の両端に把持部を有することを特徴とする防犯用遮蔽装置。
【発明の詳細な説明】
【技術分野】
【０００１】
本発明は、緊急時にロール状に巻かれた遮蔽部材を展開して金融機関の窓口カウンターに設置された枠体などを遮蔽する防犯用遮蔽装置に関するものである。
【背景技術】
【０００２】
従来、この種の防犯用遮蔽装置として、遮蔽部材として折り成しに柔軟な可撓性をもつ網とした金網を用い、これに引上ガイド部材を遮蔽部材の最下端から適当間隔を空けて適当数設け、これに融通自在に通る牽引索条を設け、この牽引索条の引上によって、下段から上段側の引上ガイド部材を順次上昇させ、引上ガイド部材間の各遮蔽部材部分をそれぞれＵ字状に折り成して、遮蔽部材全体を上昇させて通路口を開く構成とした通路開閉用昇降シャッターが開示されている（例えば特許文献１）。
【０００３】
また、水平方向に幾段も並べた横パイプと、前記横パイプ同士を連結しパイプに軸支された連結部材とからなるシャッターと、前記シャッターを巻き取る巻取り軸とからなる遮蔽装置が知られている。
【０００４】
さらに、外国の金融機関等の窓口カウンター内に格納され、硬質のアクリル板等で形成された透明な樹脂製のバリアプレートが知られている。このバリアプレートは、緊急時には窓口カウンターから上方へ押し出され、窓口カウンターの内と外とを遮蔽するものである。このバリアプレートは透明であるため、窓口カウンター内から外の不審者を監視することができるので、不審者の動作に応じて適切な対処をすることができるという優れた効果を有する。
【０００５】
また、携帯型の遮蔽装置として、透明な合成樹脂製の盾板本体と、同盾板本体の内面に取着固定された把持部とを備えるとともに、前記盾板本体の内面又は外面の少なくとも一部には、透明な合成樹脂製のフィルム材の一面に金属薄膜を積層して形成され、可視光線透過率が８〜４５％のハーフミラー膜を貼着した防護盾が開示されている（例えば特許文献２）
【特許文献１】特開平８−１２１０４２号公報
【特許文献２】特開２００４−３７０３３号公報
【発明の開示】
【発明が解決しようとする課題】
【０００６】
しかしながら、上記した特許文献１においても、遮蔽部材をそれぞれＵ字状に折り成して収納するので、遮蔽部材を収納するためのスペースが大きくなるという問題があった。また、遮蔽部材を展開及び収納する牽引索条を巻き取る巻取りドラムとは別に遮蔽部材が収納されるため、収納スペースはさらに大型化するという懸念があった。
【０００７】
また、上記したシャッターでは、収納スペースは小型化することができるものの、横パイプと連結部材とで形成される格子枠を小さくすることが困難であるため、緊急時に、例えば不審者が刃物や手などを格子枠から差し込むことができるという懸念がある。一方、このシャッターは、格子枠を小さくする場合、及びシャッターの柔軟性を高める場合には、いずれも連結部材を増加させる必要があり、シャッターの全体重量が増加してしまうという問題があった。したがって、このような重量物を設置できる場所は自ずと限られてしまう、若しくは設置場所を補強するなどの工事が必要となり、コスト高の原因となる。
【０００８】
また、上記したバリアプレートでは、バリアプレートを上方へ押し出す駆動機構が必要となるため、コスト高となるという問題があった。さらに、バリアプレートは瞬間的に上昇させる必要があるため、駆動機構は大きな駆動力を必要とする。また、バリアプレートを格納するスペースが、遮蔽すべき枠の高さより小さい場合には、バリアプレートを多段階にスライド可能としたり、折り畳み可能としたりする必要があるため、より一層複雑化すると共に、コストの高騰を招く要因となる。
【０００９】
また、上記した特許文献２においても、防護盾は合成樹脂製の板部材で構成されており、普段携帯するには大型であるため、持ち運びに不便であるという問題があった。
【００１０】
そこで本発明は上記した問題点に鑑み、簡単な構成で確実に遮蔽することができる防犯用遮蔽部材を提供することを第１の目的とする。
【００１１】
また、本発明の第２の目的は、容易に携帯することができる防犯用遮蔽装置を提供することである。
【課題を解決するための手段】
【００１２】
上記目的を達成するために、請求項１に係る防犯用遮蔽装置は、金網で構成された遮蔽部材と、前記遮蔽部材をロール状に巻き取る巻取り部材とを備えた防犯用遮蔽装置であって、前記巻取り部材は枠体の上端に設けられ、前記遮蔽部材を一端から落下させて展開する展開手段を有する。
【００１３】
また、請求項２に係る防犯用遮蔽装置は、前記巻取り部材が前記遮蔽部材を巻いた状態で係止手段により係止されており、前記展開手段は、前記係止手段を解除する解除装置と、前記遮蔽部材の一端に設けた錘とからなる。
【００１４】
また、請求項３に係る防犯用遮蔽装置は、前記巻取り部材の回転速度を抑制する制動部材を備えることとした。
【００１５】
また、請求項４に係る防犯用遮蔽装置は、前記一端が前記枠体の最下点に到達した前記遮蔽部材を固定するロック機構を備えることとした。
【００１６】
また、請求項５に係る防犯用遮蔽装置は、前記枠体の最下点に到達した前記遮蔽部材に電圧を印加する電圧印加手段を備えることとした。
【００１７】
また、請求項６に係る防犯用遮蔽装置は、金網で構成された遮蔽部材と、前記遮蔽部材をロール状に巻き取る巻取り部材とを備えた防犯用遮蔽装置であって、前記巻取り部材は前記遮蔽部材の中央に設けられ、前記遮蔽部材の両端に把持部を有する
【発明の効果】
【００１８】
本発明の請求項１によれば、遮蔽部材をロール状に巻いた状態で格納しておくことができるので、格納スペースを小型化し、簡単な構成で確実に遮蔽することができる。また、遮蔽部材の巻取り数を変更することによって、高さの異なる枠体に適用することができるので、コストを低減できる。
【００１９】
また、請求項２によれば、錘の自重により遮蔽部材を展開するので、外部駆動力を必要とせず、簡単な構成で確実に遮蔽することができる。
【００２０】
また、請求項３によれば、巻取り部材の回転速度を抑制することができるので、遮蔽部材が展開した際、遮蔽部材の一端がバウンドすることを防いで、より確実に遮蔽することができる。
【００２１】
また、請求項４によれば、枠体を遮蔽した遮蔽部材の一端を枠体の最下点に固定することができるので、遮蔽部材の持ち上がりを防止することができる。
【００２２】
また、請求項５によれば、不審者が枠体を遮蔽した遮蔽部材を持ち上げる行為を抑制することができる。
【００２３】
また、請求項６によれば、巻取り部材に遮蔽部材を巻き取ってコンパクトにすることができるので、護身用として防犯用遮蔽装置を容易に携帯することができると共に、必要時には直ちに展開させて、防御することができる。
【発明を実施するための最良の形態】
【００２４】
以下図面を参照して、本発明の好適な実施形態について説明する。
【００２５】
図１に示す防犯用遮蔽装置１は、例えば金融機関などの窓口カウンター（以下、カウンター）Ｃに設置された枠体２に設けられ、カウンターＣの内側と外側とを遮蔽し、内側の安全を確保するものである。この防犯用遮蔽装置１は、金網で構成された遮蔽部材３と、前記遮蔽部材３をロール状に巻き取る巻取り部材である巻取りシャフト４とを備える。
【００２６】
遮蔽部材３は、ロール状に巻取り可能で、かつ、展開したときに、カウンターＣの内側から外側を視認することができると共に、ナイフなどの刃物や、手や指を入れることができないように遮蔽するものが望ましい。この遮蔽部材３として種々のものが考えられるが、例えば、図１（Ｂ）に示す遮蔽部材３は主にコンベヤに用いられる金網が好ましい。この金網は、金属線を螺旋状に成形された素線５と、この素線５を水平方向に複数配置し、前記素線５同士を連結する金属線からなる連結線６とにより構成され、連結された素線５同士をさらに別の連結線６で連結して形成される。
【００２７】
このような金網で構成される遮蔽部材３は、例えば以下の製造工程により形成される。先ず、金属線を螺旋形状成形機（図示しない）により略螺旋形状に成形加工する。このように螺旋形状に成形された素線５を２本用意し、一方の素線５を長手方向の中央を中心として１８０度回転させ、巻き始め始端部と、巻き終わり終端部の位置を反転させる。そして、右巻き螺旋形状の素線５と左巻き螺旋形状の素線５を相対位置に配し、各々を少しオーバーラップさせる。次に連結線６（力骨、ロッドともいう）の製造工程について説明する。金属線材を波形形状成形機（図示しない）により、均一な波形に成形する。この波形形状成形機は、上下一対の歯車の噛み合わせ部に金属線材を通過させるものである。そして、連結線６を前記右巻き螺旋形状の素線５と左巻き螺旋形状の素線５とのオーバーラップ箇所に通過させることにより、２つの螺旋形状の素線５を連結し、最後に連結線６の始端部及び終端部を熔接又はカシメ加工をして抜け止防止策を施す。上記工程を繰り返すことにより任意長さのコンベヤ金網を製作することができる。このような螺旋形状で構成された素線５と、波形の連結線６とからなる金網で遮蔽部材３を構成することにより、可撓性を備えると共に、長手方向に独立して回動することができ、織金網と異なりロール状に巻き取っても金網を構成する線材が塑性変形を起すことがない。したがって、展開させた場合に直ちに遮蔽部材３として使用することができる。また、遮蔽部材３を金網で構成したことにより、遮蔽部材３の軽量化を図れるので、枠体２を小型化して、コストを低減できる。
【００２８】
また、遮蔽部材３の一端には、加速部材たる錘７が設けられており、他端において巻取りシャフト４にボルトや熔接などによって固定されている。また、加速部材は遮蔽部材３の一端を枠体２の最下点方向に付勢する付勢手段、例えばばねで構成してもよい。
【００２９】
前記巻取りシャフト４は枠体２の上端2aに回動自在に設けられており、係止手段であるラチェット機構８により遮蔽部材３を巻き取った状態で係止されている。ラチェット機構８は、ギア９と、該ギア９に係合する係合部10と、前記係合部10に直結したモータ11とにより構成される。ギア９は、巻取りシャフト４の一端に固設され、外周にラチェット歯12を備えている。このラチェット歯12には前記係合部10が係合し、ギア９すなわち巻取りシャフト４をロックしている。係合部10は、モータ11の駆動により回動して、ラチェット歯12から離れてロックを解除する構成となっている。
【００３０】
巻取りシャフト４の他端には、遮蔽部材３の降下速度を抑制する制動部材であるドラムブレーキ13が設けられている。ドラムブレーキ13は、遮蔽部材３の展開時に遮蔽部材３の一端が枠体２の最下点に到達した際の衝撃を軽減するため、遮蔽部材３の一端の降下速度を抑制するものである。このドラムブレーキ13は、図示しないが、予め所定の摩擦力を生じるようにドラムにブレーキシューが内側から押付けられている。このドラムブレーキ13は、巻取りシャフト４の回転速度をドラムとブレーキシューとの間に生じる摩擦熱に変換することによって、巻取りシャフト４の回転速度を抑制する。
【００３１】
また、枠体２の上端2aには前記遮蔽部材３を格納しておく格納部材（図示しない）を設けてもよい。格納部材は枠体２に固定され、下面に遮蔽部材３が挿通するための開口が設けられている。この格納部材の前面、すなわちカウンターＣの外側には、表示面を設ける。この表示面に装飾や店舗名などを表示することにより、内装との調和を図ることができる。また、表示面に警告文などを表示することにより、注意を喚起することができる。
【００３２】
上記のように構成された遮蔽部材３は、展開手段14により遮蔽部材３の一端が枠体２の最下点に降下して展開される。展開手段14は、不審者がカウンターＣの外側に侵入したときに、瞬間的にかつ確実に遮蔽部材３を展開して、カウンターＣの内と外とを遮蔽する。この展開手段14は、解除装置15と、遮蔽部材３に設けた前記錘７とにより構成される。
【００３３】
解除装置15は、解除装置15の機能を統括的に制御する制御部16に対して、非常ボタン17と、電源18と、ラチェット機構８と、電圧印加手段19とが接続されている。この場合、制御部16は、図示しないＣＰＵ（Ｃｅｎｔｒａｌ  Ｐｒｏｃｅｓｓｉｎｇ  Ｕｎｉｔ）やＲＡＭ（Ｒａｎｄｏｍ  Ａｃｃｅｓｓ  Ｍｅｍｏｒｙ）、基本プログラム及び非常処理プログラム、電圧印加プログラム等のプログラムが予め格納されたＲＯＭ（Ｒｅａｄ  Ｏｎｌｙ  Ｍｅｍｏｒｙ）等で構成されており、非常ボタン17からの入力に応じてＲＯＭに格納された各種プログラムを適宜ＲＡＭに読み出すことにより所定の処理を実行する。尚、ＣＰＵ，ＲＡＭ，ＲＯＭは、一体となっているワンチップマイコンを用いてもよい。
【００３４】
例えば、制御部16は、非常ボタン17から供給される非常時信号に基づいて非常処理プログラムを起動し、電源18を前記ラチェット機構８へ供給する。電源18が供給されたラチェット機構８は、モータ11を駆動して係合部10をラチェット歯12から離してロックを解除する。ラチェット機構８のロックが解除されると、巻取りシャフト４が錘７の自重により回転し、遮蔽部材３を展開する。
【００３５】
また、制御部16は、遮蔽部材３の一端が枠体２の最下点に到達したことを意味する入力信号に基づいて電圧印加プログラムを読み出し、電圧印加手段19に電圧を供給する。電圧を供給された電圧印加手段19は、展開した遮蔽部材３に電圧を印加する。
【００３６】
また、複数からなるカウンターＣに遮蔽部材３がそれぞれ設置されている場合、いずれかの遮蔽部材３に設置されている非常ボタン17から非常時信号が供給されることにより、全ての遮蔽部材３のロックを解除し、遮蔽部材３を展開することもできる。
【００３７】
これに加えて、制御部16は、非常時信号が非常ボタン17から供給された場合に、同時にスピーカ（図示しない）から警報や威嚇音を発生させることとしてもよいし、また、警察へ通報する通報装置（図示しない）を起動することとしてもよい。
【００３８】
次に、上記構成の作用について説明する。先ず、遮蔽部材３は巻取りシャフト４にロール状に巻き取られた状態で、枠体２の上端2a側に保持されている。この状態で、不審者に気づいたユーザが非常ボタン17を押と、制御部16は、非常ボタン17から入力された非常時信号に基づいて、非常処理プログラムを起動する。そして、制御部16は、所定の電源18をラチェット機構のモータ11へ出力する。モータ11は、供給された電源18に基づいて所定角度回動し、その状態を所定時間保持する。モータ11が回動すると、係合部10がラチェット歯12から離れ、巻取りシャフト４の係合が解除される。巻取りシャフト４の係合が解除されると、一端に設けた錘７により遮蔽部材３の一端が降下する。そして遮蔽部材３の一端が枠体２の最下点に到達して、遮蔽部材３が展開される。このとき、巻取りシャフト４はドラムブレーキ13により回転速度が抑制されるので、遮蔽部材３の一端が最下点に到達した際に、一端がバウンドすることを防止できる。
【００３９】
尚、カウンターＣが複数からなる場合には、それぞれのカウンターＣに遮蔽装置１を備えることとしてもよいことはもちろんである。
【００４０】
上記のように本実施例では、防犯用遮蔽装置１が、金網で構成された遮蔽部材３と、前記遮蔽部材３をロール状に巻き取る巻取りシャフト４とを備え、前記巻取りシャフト４は枠体２の上端2aに設けられ、前記遮蔽部材３を一端から落下させて展開する展開手段14を有することとしたから、遮蔽部材３をロール状に巻いた状態で格納しておくことができるので、格納スペースを小型化し、簡単な構成で確実に遮蔽することができる。また、遮蔽部材３の巻取り数を変更することによって、高さの異なる枠体２に適用することができるので、コストを低減できる。
【００４１】
また、前記巻取りシャフト４は前記遮蔽部材３を巻いた状態でラチェット機構８により係止されており、前記展開手段14は、前記ラチェット機構８を解除する解除装置15と、前記遮蔽部材３の一端に設けた錘７とからなることとしたから、外部駆動力を必要とせず、簡単な構成で確実に遮蔽することができる。
【００４２】
また、前記巻取りシャフト４の回転速度を抑制するドラムブレーキ13を備えたから、巻取りシャフト４の回転速度を抑制することができるので、遮蔽部材３が展開した際、遮蔽部材３の一端がバウンドすることを防いで、より確実に遮蔽することができる。
【００４３】
また、前記枠体２の最下点に到達した前記遮蔽部材３に電圧を印加する電圧印加手段19を備えたから、不審者が枠体２を遮蔽した遮蔽部材３を持ち上げる行為を抑制することができる。
【００４４】
（第２実施例）
次に本発明の第２実施例について説明する。尚、上記構成と同様の構成については同様の符号を付し、簡単のため説明を省略する。図２に示す防犯用遮蔽装置１は、遮蔽部材３が展開して一端が枠体２の最下点たる最下枠2bに到達したときに、その状態で遮蔽部材３を固定するロック機構21を備える。
【００４５】
ロック機構21は、遮蔽部材３の一端に設けられた嵌合受部22と、枠体２の最下枠2bに設けられた嵌合部23とからなる。遮蔽部材３の一端には、全幅に亘って錘７が設けられており、前記錘７の幅方向の両側面に前記嵌合受部22が設けられている。嵌合受部22は、水平方向に穿設された穴で構成される。
【００４６】
枠体２の最下枠2bは、遮蔽部材３の一端に設けられた錘７が挿通する溝24が形成されている。そして、嵌合部23は前記溝24の長手方向の両端部25にそれぞれ設けられている。この嵌合部23は、溝24の長手方向の両端部25に設けられた座穴26と、該座穴26に装填された付勢部材27と、前記付勢部材27によって溝24の内方へ付勢されると共に溝24の内側へ突出する突起本体28とにより構成される。突起本体28は、一端の座部28aにおいて前記付勢部材27に当接し、他端は溝24の内側へ突出している。この突起本体28の他端は、上面が先端に向かって緩やかに湾曲した上面部29を備えている。尚、付勢部材27は種々のものが考えられるが、コイルばねや竹の子ばねを用いてもよい。
【００４７】
このような防犯用遮蔽装置１において、遮蔽部材３の一端が降下すると、錘７が突起本体28の上面部29に当接し、上面部29が錘７の角部7aに押される。上面部29は湾曲しているため、上面部29が錘７の角部7aに沿って移動する。すなわち、上面部29が錘７の角部7aに沿って移動すると、付勢部材27の付勢力に抗して突起本体28が座穴26の内方向へ移動する。突起本体28が座穴26の内方向へ移動すると、障害がなくなり錘７が溝24の底部24aに到達する。錘７が溝24の底部24aに到達すると、付勢部材27に押されている突起本体28が錘７の両側端面に設けた嵌合受部22に嵌合する。このとき突起本体28の下面は略水平に形成されていることにより、確実に嵌合受部22に嵌りこみ、遮蔽部材３を固定することができる。このようにして一端が枠体２の最下枠2bに到達して遮蔽部材３が展開され、その状態で遮蔽部材３が固定される。
【００４８】
上記のように本実施例では、防犯用遮蔽装置１が、前記一端が前記枠体２の最下枠2bに到達した前記遮蔽部材３を固定するロック機構21を備えたから、枠体２を遮蔽した遮蔽部材３の一端を枠体２の最下枠2bに固定することができるので、遮蔽部材３の持ち上がりを防止することができる。
【００４９】
（第３実施例）
次に本発明の第３実施例について説明する。尚、上記構成と同様の構成については、簡単のため説明を省略する。図３に示す防犯用遮蔽装置１は、携帯可能なものである。この防犯用遮蔽装置35は、金網で構成された遮蔽部材３と、前記遮蔽部材３をロール状に巻き取る巻取り部材である巻取り杆36とを備える。この巻取り杆36は、遮蔽部材３の中央に設けられ、手動で回動することにより遮蔽部材３を巻き取るものである。遮蔽部材３の両端には、把持部37が設けられている。
【００５０】
把持部37は、把持部37を持ったユーザの手を保護しながら、遮蔽部材３を広げたり、又は遮蔽部材３を閉じたりできるようにするものである。この把持部37は、アルミなどの金属のほか、硬質樹脂など、比較的軽量な材料で構成され、把持杆38と、保護カバー39とからなる。把持杆38はユーザが握りやすい円筒で、遮蔽部材３の縦長さと同じ長さを有する。また、把持杆38には、図示しないが握ったときの指を投影した凹みを設けてもよい。保護カバー39は、前記把持杆38と同じ長さを有し、かつ、把持杆38の外径より大きな内径を有する円筒を略半分にした部材で構成され、一端が把持杆38に固定され、他端が把持杆38の全体を覆うように湾曲して形成される。保護カバー39の一端には、指を挿通する貫通穴40が形成されており、他端の角41は、ケガを防止するためＲ形状処理がなされている。
【００５１】
巻取り杆36は、遮蔽部材３の縦長さと略同じ長さを有する円柱で構成され、中央に遮蔽部材３を挿通する挿通溝42が形成されている。挿通溝42は、略Ｚ字形に形成されている。
【００５２】
次に上記構成の作用について図４を参照して説明する。それぞれの把持杆38を握り、遮蔽部材３を左右に広げて、不審者との間に遮蔽部材３を展開する。そうすることで、不審者が刃物を持っていた場合にも、ユーザは防犯用遮蔽装置35で防御することができる。また、不審者が刃物を突き出してきたときには、不審者の刃物を持った手を左右の把持部37で挟み、自動車のハンドルを回すようにひねることができる。このとき、保護カバー39と把持杆38との間には手を相通するための隙間があるので、不審者の手に対し、より大きな回転モーメントを生じさせることができるので、力の差がある場合でも、不審者と対抗することができる。また、刃物を持っていない不審者に対しては、不審者の腕、足、頭部などを防犯用遮蔽装置35で挟むことによって、不審者を取り押さえることができることはいうまでもない。また、不審者の頭部を押えた場合であっても、遮蔽部材３は、金網で構成されているから、不審者の呼吸を確保することができるので、安全を確保しながら取り押さえることができる。
【００５３】
上記のように本実施例では、防犯用遮蔽装置35が、金網で構成された遮蔽部材３と、前記遮蔽部材３をロール状に巻き取る巻取り杆36とを備えた防犯用遮蔽装置35であって、前記巻取り杆36は前記遮蔽部材３の中央に設けられ、前記遮蔽部材３の両端に把持部37を有することとしたから、巻取り杆36に遮蔽部材３を巻き取ってコンパクトにすることができるので、護身用として防犯用遮蔽装置35を携帯することができると共に、必要時には直ちに展開させて、防御することができる。
【００５４】
また、保護カバー39に貫通穴40を設けたことにより、把持杆38をしっかりと握ることができるので、より確実に防御することができる。
【００５５】
また、保護カバー39を湾曲形状で構成したことにより、刃物などの先鋭の先端をそらすことができる。したがって、保護カバー39の損傷を軽減すると共に、確実にユーザを刃物から保護することができる。
【００５６】
また、挿通溝42を略Ｚ字形に形成したことにより、展開時に巻取り杆36が遮蔽部材３の左右に移動することを防いで、巻取り杆36を遮蔽部材３の中央に保持することができる。
【００５７】
本発明は、本実施形態に限定されるものではなく、本発明の要旨の範囲内で種々の変形実施が可能である。例えば、係止手段はラチェット機構に限らず、電磁ブレーキでもよい。また、制動部材は、ドラムブレーキに限らず、ディスクブレーキでもよい。また、制動部材は上記ドラムブレーキ、ディスクブレーキに限らず、巻取り部材の軸に渦巻ばねを取り付け、そのばねの復元力をブレーキとして利用してもよい。
【図面の簡単な説明】
【００５８】
【図１】本発明の第１実施例に係る防犯用遮蔽装置の全体構成を示す概略図であり、（Ａ）構成図、（Ｂ）遮蔽部材の部分正面図である。
【図２】本発明の第２実施例に係る防犯用遮蔽装置の動作を段階的に示す図である。
【図３】本発明の第３実施例に係る防犯用遮蔽装置の構成を示す斜視図であり、（Ａ）遮蔽部材を展開した状態、（Ｂ）遮蔽部材を格納した状態を示す図である。
【図４】同上、使用状態を示す図である。
【符号の説明】
【００５９】
１    防犯用遮蔽装置
２    枠体
2a    上端
2b    最下点（最下枠）
３    遮蔽部材
４    巻取りシャフト（巻取り部材）
７    錘
８    ラチェット機構（係止手段）
13    ドラムブレーキ（制動部材）
14    展開手段
15    解除装置
19    電圧印加手段
21    ロック機構
36    巻取り杆（巻取り部材）
37    把持部
【図１】
2007113173.tif 000003
【図２】
2007113173.tif 000004
【図３】
2007113173.tif 000005
【図４】
2007113173.tif 000006